(57)【要約】【課題】天井高を高く設定しても通気路を確保できるとともに、滞りなく屋根の換気をすることができ、これにより、屋根の放熱効果を格段に向上させ、その上、室内への熱の侵入を効率良く防ぐことが可能な遮熱材の設置構造。【解決手段】建物躯体Ａ上に設けられた屋根１０の裏面側に設けられ、この屋根１０の軒先部１０ａから棟方向に向かって並設された複数の遮熱材１…の設置構造において、  前記複数の遮熱材１…が、屋根１０の野地板１０ｂの裏面との間に所定の間隔Ｈ１を開けて設置されることによって、これら複数の遮熱材１…と前記野地板１０ｂの裏面との間に第１の通気路２が形成されているとともに、  前記複数の遮熱材１…が、隣接する遮熱材どうし１、１間に所定の間隔Ｈ２を開けて設置されることによって、隣接する遮熱材どうし１、１間に第２の通気路３が形成されていることを特徴とする。【選択図】図１
2006118167.tif 000002
【特許請求の範囲】
【請求項１】
建物躯体上に設けられた屋根の裏面側に設けられ、この屋根の軒先部から棟方向に向かって並設された複数の遮熱材の設置構造において、
前記複数の遮熱材が、屋根の野地板の裏面との間に所定の間隔を開けて設置されることによって、これら複数の遮熱材と前記野地板の裏面との間に第１の通気路が形成されているとともに、
前記複数の遮熱材が、隣接する遮熱材どうし間に所定の間隔を開けて設置されることによって、隣接する遮熱材どうし間に第２の通気路が形成されていることを特徴とする遮熱材の設置構造。
【請求項２】
請求項１に記載の遮熱材の設置構造において、
前記屋根は、建築用屋根パネルによって構成されていることを特徴とする遮熱材の設置構造。
【請求項３】
請求項１または２に記載の遮熱材の設置構造において、
前記建築用屋根パネルは、框材を矩形枠状に組み立ててなる矩形枠の上面に、野地板となる面材を取り付けて形成されており、
前記複数の遮熱材は前記矩形枠に設置されていることを特徴とする遮熱材の設置構造。
【請求項４】
請求項１〜３のいずれか一項に記載の遮熱材の設置構造において、
前記並設された複数の遮熱材のうち軒先部に位置する軒先側遮熱材は、その先端部が建物躯体の外壁の上部に位置するようにして設置されていることを特徴とする遮熱材の設置構造。
【請求項５】
請求項１〜４のいずれか一項に記載の遮熱材の設置構造において、
前記複数の遮熱材と天井との間に天井断熱材が設けられていることを特徴とする遮熱材の設置構造。
【発明の詳細な説明】
【技術分野】
【０００１】
本発明は、建物躯体上に設けられた屋根の裏面側に設けられ、この屋根の軒先部から棟方向に向かって並設された複数の遮熱材の設置構造に関する。
【背景技術】
【０００２】
従来より、室内空間の断熱性を確保するために、天井板の上面にはグラスウール等の断熱材が敷き込まれている。また、小屋裏空間の換気のため、天井と屋根とが交差する取合部には通気スペースが設けられている。
【０００３】
ところが、住宅の気密性および断熱性を向上させるために、天井板の上面に敷き込まれる断熱材の厚みを大きくすると、天井と屋根とが交差する部分が断熱材によって塞がれてしまい、小屋裏空間の換気のための通気スペースを確保できない場合があった。
【０００４】
そこで、野地板の裏側の隣り合う垂木間に、ダンボール、厚紙等の比較的硬質の紙や比較的軟質のプラスティック板等からなる通気用のスペーサーを設置することによって、天井板の上面に敷き込まれた断熱材の端部を押さえ込み、小屋裏空間の換気のための通気スペースを確保する技術が開発されている（例えば、特許文献１参照。）。
【特許文献１】特開２００１−０４０７８９号公報
【発明の開示】
【発明が解決しようとする課題】
【０００５】
ところで、近年、室内空間において開放感を得るために、天井高を出来るだけ高く設定したいという要望がある。
【０００６】
しかしながら、単に天井板を高くして天井高を確保するような場合、前記特許文献１のようなダンボール等からなる通気用のスペーサーが、天井板の上面に敷き込まれた断熱材によって圧迫され、通気スペースが塞がれてしまうおそれがあった。
【０００７】
これに対して、前記通気用のスペーサーを圧迫しないように、天井板の上面に敷き込んだ断熱材を薄くして天井を高くする場合には、断熱効果を低減させてしまうおそれもあった。
【０００８】
本発明の課題は、天井高を高く設定しても通気路を確保することができるとともに、滞りなく屋根の換気をすることができ、これにより、屋根の放熱効果を格段に向上させ、その上、室内への熱の侵入を効率良く防ぐことが可能な遮熱材の設置構造を提供することを目的とする。
【課題を解決するための手段】
【０００９】
請求項１に記載の発明は、例えば図１に示すように、建物躯体Ａ上に設けられた屋根１０の裏面側に設けられ、この屋根１０の軒先部１０ａから棟方向に向かって並設された複数の遮熱材１、１…の設置構造において、
前記複数の遮熱材１、１…が、屋根１０の野地板１０ｂの裏面との間に所定の間隔Ｈ１を開けて設置されることによって、これら複数の遮熱材１、１…と前記野地板１０ｂの裏面との間に第１の通気路２が形成されているとともに、
前記複数の遮熱材１、１…が、隣接する遮熱材どうし１、１間に所定の間隔Ｈ２を開けて設置されることによって、隣接する遮熱材どうし１、１間に第２の通気路３が形成されていることを特徴とする。
【００１０】
請求項１に記載の発明によれば、前記複数の遮熱材１、１…が、屋根１０の野地板１０ｂの裏面との間に所定の間隔Ｈ１を開けて設置されることによって、これら複数の遮熱材１、１…と前記野地板１０ｂの裏面との間に第１の通気路２が形成されているとともに、
前記複数の遮熱材１、１…が、隣接する遮熱材どうし１、１間に所定の間隔Ｈ２を開けて設置されることによって、隣接する遮熱材どうし１、１間に第２の通気路３が形成されていることから、従来とは異なり、天井高を高く設定することで、前記複数の遮熱材１、１…が天井板上面の断熱材に圧迫されたとしても、前記屋根１０の野地板１０ｂの裏面との間と、隣接する遮熱材どうし１、１間とに、前記第１および第２の通気路２、３を塞ぐことなく確保することができるとともに、前記第１の通気路２には、屋根１０の軒側から棟側に向けて空気を通過させることができ、一方の第２の通気路３には、前記第１の通気路２と屋根１０内部との間を行き来するように、空気を通過させることができるので、滞りなく屋根１０の換気をすることが可能となり、これによって、屋根１０の放熱効果を格段に向上させることができ、その上、前記複数の遮熱材１、１…自体の遮熱効果との相乗効果によって、室内Ａ１への熱の進入を効率良く防ぐことができる。
【００１１】
請求項２に記載の発明は、例えば図１または図２に示すように、請求項１に記載の遮熱材１の設置構造において、
前記屋根１０は、建築用屋根パネル１０によって構成されていることを特徴とする。
【００１２】
請求項２に記載の発明によれば、前記屋根１０は、建築用屋根パネル１０によって構成されていることから、この建築用屋根パネル１０に、予め前記複数の遮熱材１、１…を取り付けておくことができるので作業効率が良く、また、建物躯体Ａが前記建築用屋根パネル１０と同質のパネルで構成されたものである場合に、建築用屋根パネル１０と建物躯体Ａとを容易に連結することができる。
【００１３】
請求項３に記載の発明は、例えば図１または図２に示すように、請求項１に記載の遮熱材１の設置構造において、
前記建築用屋根パネル１０は、框材１０ｄ、１０ｅを矩形枠状に組み立ててなる矩形枠１０ｃの上面に、野地板１０ｂとなる面材１０ｂを取り付けて形成されており、
前記複数の遮熱材１、１…は前記矩形枠１０ｃに設置されていることを特徴とする。
【００１４】
請求項３に記載の発明によれば、前記建築用屋根パネル１０は、框材１０ｄ、１０ｅを矩形枠状に組み立ててなる矩形枠１０ｃの上面に、野地板１０ｂとなる面材１０ｂを取り付けて形成されており、
前記複数の遮熱材１、１…は前記矩形枠１０ｃに設置されていることから、前記複数の遮熱材１、１…を、前記矩形枠１０ｃの上面に取り付けた面材１０ｂから所定の間隔Ｈ１を開けた位置に、また、隣接する遮熱材どうし１、１間に所定の間隔Ｈ２を開けて、確実、かつ容易に設置することができる。したがって、前記複数の遮熱材１、１…と前記面材１０ｂとの間および隣接する遮熱材どうし１、１間に所定の通気路２、３を確保することができるので、屋根１０内を滞りなく換気することが可能となり、これにより、屋根１０の放熱効果を格段に向上させることができる。
【００１５】
請求項４に記載の発明は、例えば図１に示すように、請求項１に記載の遮熱材１の設置構造において、
前記並設された複数の遮熱材１、１…のうち軒先部１０ａに位置する軒先側遮熱材１ａは、その先端部が建物躯体Ａの外壁１１の上部に位置するようにして設置されていることを特徴とする。
【００１６】
請求項４に記載の発明によれば、前記並設された複数の遮熱材１、１…のうち軒先部１０ａに位置する軒先側遮熱材１ａは、その先端部が建物躯体Ａの外壁１１の上部に位置するようにして設置されていることから、屋根１０の軒先部１０ａから入り込む空気を、前記軒先側遮熱材１ａの先端部付近を入り口として屋根１０内へと通過させることができるので、屋根１０内を滞りなく換気することが可能となり、これにより、屋根１０の放熱効果を向上させることができる。
【００１７】
請求項５に記載の発明は、例えば図１に示すように、請求項１に記載の遮熱材１の設置構造において、
前記複数の遮熱材１、１…と天井１２との間に天井断熱材１２ａが設けられていることを特徴とする。
【００１８】
請求項５に記載の発明によれば、前記複数の遮熱材１、１…と天井１２との間に天井断熱材１２ａが設けられていることから、この天井断熱材１２ａによって屋根１０の断熱効果を向上させることができ、さらに、前記複数の遮熱材１、１…自体の遮熱効果との相乗効果によって、室内Ａ１への熱の進入を効率良く防ぐことができる。
【発明の効果】
【００１９】
本発明によれば、従来とは異なり、天井高を高く設定することで、前記複数の遮熱材が天井板上面の断熱材に圧迫されたとしても、前記屋根の野地板の裏面との間と、隣接する遮熱材どうし間とに、前記第１および第２の通気路を塞ぐことなく確保することができるとともに、前記第１の通気路には、屋根の軒側から棟側に向けて空気を通過させることができ、一方の第２の通気路には、前記第１の通気路と屋根内部との間を行き来するように、空気を通過させることができるので、滞りなく屋根の換気をすることが可能となり、屋根の放熱効果を格段に向上させることができる。
【００２０】
また、前記複数の遮熱材と天井との間に設けられた天井断熱材によって屋根の断熱効果を向上させることができ、その上、前記第１および第２の通気路による放熱効果と、前記複数の遮熱材自体の遮熱効果との相乗効果によって、室内への熱の進入を効率良く防ぐことができる。
【発明を実施するための最良の形態】
【００２１】
以下、図面を参照して本発明に係る遮熱材１の設置構造の実施の形態について説明する。
【００２２】
なお、本実施の形態の屋根１０および、この屋根１０を上部に設けるべき建物躯体Ａはパネル工法によって構築される。
【００２３】
本実施の形態の遮熱材１の設置構造は、図１に示すように、建物躯体Ａ上に設けられた屋根１０の裏面側に設けられ、この屋根１０の軒先部１０ａから棟方向に向かって並設されてなり、
前記複数の遮熱材１、１…が、屋根１０の野地板１０ｂの裏面との間に所定の間隔Ｈ１を開けて設置されることによって、これら複数の遮熱材１、１…と前記野地板１０ｂの裏面との間に第１の通気路２が形成されているとともに、
前記複数の遮熱材１、１…が、隣接する遮熱材どうし１、１間に所定の間隔Ｈ２を開けて設置されることによって、隣接する遮熱材どうし１、１間に第２の通気路３が形成されている。
【００２４】
また、前記第１の通気路２は、屋根１０の棟（図示せず）まで延在しており、該棟に設けられた換気孔（図示せず）に接続されている。
【００２５】
また、前記屋根１０は、建築用屋根パネル１０によって構成されており、この建築用屋根パネル１０は、框材１０ｄ、１０ｅを矩形枠状に組み立ててなる矩形枠１０ｃの上面に、野地板１０ｂとなる面材１０ｂを取り付けて形成されている。
【００２６】
このように、前記建築用屋根パネル１０が用いられることによって、工場等で、予め前記複数の遮熱材１、１…を取り付けておくことができるので、作業効率を向上させることができる。さらに、本実施の形態の建物躯体Ａは、この建築用屋根パネル１０と同質のパネルで構成されていることから、これら建築用屋根パネル１０と建物躯体Ａとを容易に連結することができるようになっている。
【００２７】
なお、本実施の形態の屋根１０および建物躯体Ａは、上述のようにパネル工法によって構築されているが、これに限られるものではなく、例えば、軸組工法等でも良く、本発明の趣旨を逸脱しない範囲で適宜変更可能である。
【００２８】
また、本実施の形態の建物躯体Ａは、天井１２直下の室内Ａ１の天井高が高く設定されており、この室内Ａ１空間において、例えば吹抜け空間のような広々とした開放感が得られるように構成されている。
【００２９】
前記複数の遮熱材１、１…は、図１および図２に示すように、矩形状に形成された複数の板材であり、建物躯体Ａ上に設けられた屋根１０の裏面側に設けられ、この屋根１０の軒先部１０ａから棟方向に向かって並設されている。
【００３０】
ここで、前記板材として、本実施の形態においては、グラスウールやロックウール等の無機繊維状物質を板状に固めて成形した繊維系断熱ボードのように、断熱効果を有するものが用いられており、その表面にアルミやガラスクロス等の遮熱効果を有するものを貼り付けることによって、遮熱・断熱効果を高めるようにすれば更に望ましい。
【００３１】
このように、遮熱効果を有する板材を前記複数の遮熱材１、１…として用いることによって、これら複数の遮熱材１、１…自体の遮熱効果によって、室内Ａ１への熱の侵入を防ぐことが可能となる。
【００３２】
このような板材で形成された複数の遮熱材１、１…は、強度においても優れており、従来とは異なり、天井板の上面に敷き込まれた断熱材によって圧迫されたとしても、第１および第２の通気路２、３を確保することができるものである。
【００３３】
また、前記第１の通気路２は、図１および図２に示すように、前記複数の遮熱材１、１…が、屋根１０の野地板１０ｂの裏面との間に所定の間隔Ｈ１を開けて設置されることによって、これら複数の遮熱材１、１…と前記野地板１０ｂの裏面との間に形成されており、屋根１０の軒側から棟側に向けて空気を通過させることができるようになっている。
【００３４】
さらに、前記第２の通気路３は、図１に示すように、前記複数の遮熱材１、１…が、隣接する遮熱材どうし１、１間に所定の間隔Ｈ２を開けて設置されることによって、隣接する遮熱材どうし１、１間に形成されており、前記第１の通気路２と屋根１０内部との間を行き来するように、空気を通過させることができるようになっている。
【００３５】
これら第１および第２の通気路２、３によれば、前記第１の通気路２に、屋根１０の軒側から棟側に向けて空気を通過させることができ、前記第２の通気路３に、前記第１の通気路２と屋根１０内部との間を行き来するように、空気を通過させることができるので、滞りなく屋根１０の換気をすることが可能となり、これによって、屋根１０の放熱効果を格段に向上させることができる。
【００３６】
そして、前記複数の遮熱材１、１…は、図１および図２に示すように、その両側端部に、予め支持部材４、４が取り付けられており、これら支持部材４、４を介して前記複数の遮熱材１、１…と前記矩形枠１０ｃとが強固に固定されている。
【００３７】
このように前記複数の遮熱材１、１…を前記矩形枠１０ｃに固定していることから、これら複数の遮熱材１、１…を前記建築用屋根パネル１０に対して、前記面材１０ｂの裏面との間、また、隣接する遮熱材どうし１、１間に所定の間隔Ｈ１、Ｈ２を開けて、確実、かつ容易に取り付けることができる。
【００３８】
したがって、前記複数の遮熱材１、１…と前記面材１０ｂの裏面との間に前記第１の通気路２を確保することができ、隣接する遮熱材どうし１、１間に前記第２の通気路３を確保することができ、滞りなく屋根１０の換気をすることが可能となる。
【００３９】
また、前記並設された複数の遮熱材１、１…のうち前記軒先部１０ａに位置する軒先側遮熱材１ａは、図１に示すように、その先端部が建物躯体Ａの外壁１１の上部に位置するようにして設置されている。
【００４０】
すなわち、屋根１０の軒先部１０ａから入り込む空気を、前記軒先側遮熱材１ａの先端部から屋根１０内へと通過させることができるので、屋根１０内を滞りなく換気することが可能となり、これによって、屋根１０の放熱効果を向上させることができるようになっている。
【００４１】
一方、前記複数の遮熱材１、１…と天井１２との間には、図１に示すように、天井断熱材１２ａが設けられており、これにより、この天井断熱材１２ａによって屋根１０の断熱効果を向上させることができ、更には、前記複数の遮熱材１、１…自体の遮熱効果との相乗効果によって、室内Ａ１への熱の侵入を効率良く防ぐことができるようになっている。
【００４２】
なお、前記天井断熱材１２ａとしては、例えば、グラスウールやロックウール等の無機繊維状物質、合成樹脂等を原料とする断熱材等が挙げられるが、これらに限られるものではなく、本発明の趣旨を逸脱しない範囲で適宜変更可能である。
【００４３】
以上のような複数の遮熱材１、１…を設置するための屋根１０および建物躯体Ａを構築するには、まず、予め工場等において前記建築用屋根パネル１０や建物躯体Ａを構成する外壁パネル１１を製作する。この時、前記建築用屋根パネル１０および外壁パネル１１に、予め取り付けられるものは取り付けておくようにする。
【００４４】
すなわち、前記建築用屋根パネル１０には、図１に示すように、前記面材１０ｂの裏面に、前記複数の遮熱材１、１…を所定の間隔Ｈ１を開け、また、隣接する遮熱材どうし１、１間に所定の間隔Ｈ２を開けて取り付けておくようにする。
【００４５】
この時、前記複数の遮熱材１、１…のそれぞれの両側端部に取り付けられた前記支持部材４、４を前記矩形枠１０ｃに固定することで、前記複数の遮熱材１、１…と前記矩形枠１０ｃとを強固に固定することができるようになっている。また、固定にはビス止めや接着剤による固定等を行なう。なお、固定方法においては、これに限られるものではない。
【００４６】
前記外壁パネル１１には、この外壁パネル１１の軒先部１０ａ側表面に、上端部が所定高さ、すなわち、軒天井１１ａが配設される高さとなるようにサイディング材１１ｂを取り付けておく。また、このサイディング材１１ｂの上端面には、後述する軒天井１１ａを設置するための取付部材１１ｃを取り付けておく。
【００４７】
そして、現場において前記外壁パネル１１を建て込むとともに、前記建築用屋根パネル１０を、軒先部１０ａ側に跳ね出した状態にして、前記外壁パネル１１の上端部に結合桁１１ｄを介して支持させる。
【００４８】
また、前記外壁パネル１１の室内側Ａ１壁面には、耐火性の石膏ボードや壁紙等の内壁材１１ｅを取り付け、この内壁材１１ｅの所定の高さ位置に天井板１２ｂを取り付ける。さらに、この天井板１２ｂの上面と前記遮熱材２との間に、前記第１および第２の通気路２、３を塞がないようにしながら天井断熱材１２ａを設ける。
【００４９】
前記天井板１２ｂの取り付け位置については、前記天井断熱材１２ａを敷き込むことができる範囲で、出来るだけ高くして、室内Ａ１における開放感等を得ることができるように設定する。
【００５０】
次に、建築用屋根パネル１０の軒先側端部に勾配調整材１３を釘等によって固定し、この勾配調整材１３に鼻隠１４を釘等によって固定する。さらに鼻隠１４には、軒樋１５を釘等によって取り付ける。
【００５１】
一方、前記建築用屋根パネル１０の一部が跳ね出している軒先部１０ａには、この軒先部１０ａの天井となる軒天井１１ａを取り付ける。この際、前記鼻隠１４に形成された取付部１４ａと、前記サイディング材１１ｂの上端面に取り付けられた取付部材１１ｃとの間に架け渡して、水平になるように取り付けるようにする。
【００５２】
以上のように構築することで、図１に示すような、複数の遮熱材１、１…を設置するための屋根１０および建物躯体Ａを構築することができ、前記屋根１０の裏面側に複数の遮熱材１、１…を設置することができる。
【００５３】
本実施の形態の遮熱材１の設置構造によれば、従来とは異なり、天井高を高く設定することで、前記複数の遮熱材１、１…が天井板上面の断熱材に圧迫されたとしても、前記屋根１０の野地板１０ｂの裏面との間と、隣接する遮熱材どうし１、１間とに、前記第１および第２の通気路２、３を塞ぐことなく確保することができるとともに、前記第１の通気路２には、屋根１０の軒側から棟側に向けて空気を通過させることができ、一方の第２の通気路３には、前記第１の通気路２と屋根１０内部との間を行き来するように、空気を通過させることができるので、滞りなく屋根１０の換気をすることが可能となり、これによって、屋根１０の放熱効果を格段に向上させることができる。
【００５４】
また、前記複数の遮熱材１、１…と天井１２との間に設けられた天井断熱材１２ａによって屋根１０の断熱効果を向上させることができ、その上、前記第１および第２の通気路２、３による放熱効果と、前記複数の遮熱材１、１…自体の遮熱効果との相乗効果によって、室内Ａ１への熱の進入を効率良く防ぐことができる。
【図面の簡単な説明】
【００５５】
【図１】本発明の遮熱材の設置構造を示す側断面図である。
【図２】図１に示す遮熱材の設置構造のＢ−Ｂ断面図である。
【符号の説明】
【００５６】
１  遮熱材
２  第１の通気路
３  第２の通気路
１０  屋根（建築用屋根パネル）
Ａ  建物躯体
【図１】
2006118167.tif 000003
【図２】
2006118167.tif 000004